(57)【要約】【課題】移動式の生コンクリート成型装置において、型枠を可動装置により適宜移動させることができ、これにより左右の側型枠間の間隔を変動させ、巾員の異なる必要とする舗装面に対応して打設された生コンクリートを成型することができ、工期の短縮及びコストの低減を図りつつ連続的に生コンクリートを成型することのできる生コンクリート成型装置を提供するものである。【解決手段】生コンクリート供給手段から供給された生コンクリートを平坦にする成型装置において、自走部並びに締固め、成型及び平坦機能を備え、該成型機能は、左右の側型枠及び上型枠により打設された生コンクリートの巾及び厚さを確定し、該側型枠の少なくとも一方側の内側面には該上型枠が非固定状態で載置される可動部を設け、該可動部を左右方向へ移動させる手段により生コンクリートの巾を可変させることを特徴とする生コンクリート成型装置。【選択図】図２
2006225978.tif 000002
【特許請求の範囲】
【請求項１】
生コンクリート供給手段から供給された生コンクリートを平坦にする成型装置において、自走部並びに締固め、成型及び平坦機能を備え、該成型機能は、左右の側型枠及び上型枠により打設された生コンクリートの巾及び厚さを確定し、該側型枠の少なくとも一方側の内側面には該上型枠が非固定状態で載置される可動部を設け、該可動部を左右方向へ移動させる手段により生コンクリートの巾を可変させることを特徴とする生コンクリート成型装置。
【請求項２】
可動部をＬ字型形状とし、下フランジ部に上型枠を非固定状態で載置してなることを特徴とする請求項１に記載の生コンクリート成型装置。
【請求項３】
側型枠及び可動部は、油圧或いは空気圧シリンダーにより左右方向へ移動可能としてなることを特徴とする請求項１又は２に記載の生コンクリート成型装置。
【請求項４】
側型枠及び可動部は、スクリュー歯或いは歯車により左右方向へ移動可能としてなることを特徴とする請求項１又は２に記載の生コンクリート成型装置。
【発明の詳細な説明】
【技術分野】
【０００１】
本発明は、移動手段を有する生コンクリート成型装置によって道路や各種床等の舗装面に打設された生コンクリートを順次連続的に成型する装置に関し、特に道路や各種床において必要とする巾に直ちに対応することのできる生コンクリート成型装置に関する。
【背景技術】
【０００２】
道路、空港での滑走路、大規模な駐車場や広場等の床（以下、総称して道路という）の表面側（以下、舗装面という）に打設された生コンクリートを順次連続的に成型するには、移動手段を有する生コンクリート成型装置により、該打設された生コンクリートを引き延ばして平坦にすることが行なわれている。そして、左右の側型枠や上型枠により成型される生コンクリートの巾及び厚さを定めていた。上記左右の側型枠間の巾員は予め定められているので、道路によっては端数の巾が残ることも多く、当該端数となる巾員については手打ちで対応することが行なわれていた。
【０００３】
上記欠点を考慮し、巾員を変更することのできる生コンクリート成型装置が開発されている。図８に示すように、所定の横巾を有する基準モールドＡに追加モールドＢをボルト・ナット等の脱着手段により嵌め込み或いは取り外し固定することにより左右の側型枠間隔を変え、巾員の変更に対応していた。
【特許文献１】特開平０７−１３８９０９号公報
【発明の開示】
【発明が解決しようとする課題】
【０００４】
上記移動する生コンクリート成型装置において、予め左右の側型枠間の巾員が固定されているモールドにより、該巾員に対応して道路の舗装面に連続的に打設された生コンクリートを該巾員に成型することが可能であるが、上記したように成型できる巾員が予め決められているので、巾員が異なることが多い各種道路において、端数な巾員が残らないように調整対応することは困難であった。
また、上記のように巾員を変更できる生コンクリート成型装置では、必要とする巾員に応じた追加モールドの入替を行なわなくてはならず、そのつど左右の側型枠によって定まる巾員に合わせるための着脱を繰り返す必要があった。
更に、巾員が漸次異なる道路や施工場所或いは追加モールドＢの巾員に合わない端数の巾員が生じる生コンクリートの成型場所では上記の手段では対応できなかった。
【０００５】
本発明は、上記欠点を解決したもので、移動式の生コンクリート成型装置において、型枠を可動装置により適宜移動させることができ、これにより左右の側型枠間の間隔を変動させ、巾員の異なる必要とする舗装面に対応して打設された生コンクリートを成型することができ、工期の短縮及びコストの低減を図りつつ連続的に生コンクリートを成型することのできる生コンクリート成型装置を提供するものである。
【課題を解決するための手段】
【０００６】
具体的な手段として、生コンクリート供給手段から供給された生コンクリートを平坦にする成型装置において、自走部並びに締固め、成型及び平坦機能を備え、該成型機能は、左右の側型枠及び上型枠により打設された生コンクリートの巾及び厚さを確定し、該側型枠の少なくとも一方側の内側面には該上型枠が非固定状態で載置される可動部を設け、該可動部を左右方向へ移動させる手段により生コンクリートの巾を可変させる生コンクリート成型装置を特徴とする。
【０００７】
また、上記可動部をＬ字型形状とし、下フランジ部に上型枠を非固定状態で載置してなる生コンクリート成型装置を特徴とする。
【０００８】
更に、上記側型枠及び可動部は、油圧或いは空気圧シリンダーにより左右方向へ移動可能としてなる生コンクリート成型装置を特徴とする。
【０００９】
また、上記側型枠及び可動部は、スクリュー歯或いは歯車により左右方向へ移動可能としてなる生コンクリート成型装置を特徴とする。
【発明の効果】
【００１０】
本発明は、道路或いは各種コンクリート構造物の舗装面に打設された生コンクリートの左右の巾員間隔を自動的に変えることができ、且つ巾員を変更するための型枠の組み換え作業が不要となり、そのための人員を用意する必要がなく、省力化が可能となった。
【００１１】
また、上記左右の巾員間隔の変更が、漸次微細な巾員の増減にも対応することができ、打設面に端数となる巾員が生じることがなくなった。
【発明を実施するための最良の形態】
【００１２】
以下、本発明の実施例を図面に基づいて説明する。
【実施例１】
【００１３】
図１は、本発明の生コンクリート成型装置を含むスリップ工法に使用する装置全体を示す斜視図、図２は、生コンクリート成型装置の正面図を示している。上記スリップ工法に使用する装置としては、本発明に係る生コンクリート成型装置１を挟んで、前工程では生コンクリート車等によって運ばれてきた生コンクリートをベルトコンベア等により装置内へ移動させ、道路面に打設し、ある程度の巾に敷き均す敷き均し手段を備えた自走手段を有する生コンクリート打設装置２、後工程では巾員が確定され、締め固められた生コンクリートの表面を仕上げ、養生剤を散布する等の生コンクリート仕上装置３とを備えている。
【００１４】
該生コンクリート成型装置１は、自走手段４を備え、上記前工程により道路面に拡散オーガ等で左右方向へ敷き均された生コンクリートを、図３に示すようにオーガ等の敷き均し手段５、バイブレータ等の締め固め手段６、ダンパ等の上下動手段７及びコンフォーミングプレート８により所定高さに調整され、更に、左右の側型枠９、１０により巾員が定められる。
【００１５】
図５に示す上記左右の側型枠９、１０は、自走手段４の走行面となる舗装面に達する型枠とされ、前工程で舗装面に打設され、左右方向へある程度敷き均された生コンクリートの側面を確定形成する型枠となる。
該側型枠９、１０の内側には図２、４に示すように、断面Ｌ字型の可動部１１、１２が固定され、コンフォーミングプレート８を左右より載置支持している。コンフォーミングプレート８は、生コンクリート成型装置を構成する架構から垂下した支持部材１３、１４により支持され、同時に、該支持部材１３、１４は、上記側型枠９、１０及び可動部１１、１２も支持している。該可動部１１、１２を左右方向へ移動させるための油圧或いは空気圧によるシリンダー１５、１６が、該コンフォーミングプレート８に固定され、そのロッド側は可動部１１、１２に固定されている。該シリンダー１５、１６の作動によりロッドが伸縮し、該可動部１１、１２を外方或いは内方の左右方向へ移動させることができるように構成している。
【００１６】
上記シリンダー１５、１６の作動により可動部１１、１２を固定した側型枠９、１０は左右方向へ移動することになり、舗装面に打設された生コンクリートの巾員Ｈを可変させることが可能となる。
【００１７】
上記実施例１では、可動部１１、１２を側型枠９、１０の両者に設けたが、片側のみでも良い。
【実施例２】
【００１８】
図６は、側型枠１７を移動させるための他の実施例を示したものである。該側型枠１７及びそれに固定した可動部１８にナット状筒１９を固定し、該ナット状筒１９内をボルト２０が回動するスクリューネジとし、側型枠１７及び可動部１８を左右方向へ移動させるものである。
該ボルト２０の回動は、カサ歯車、ウォームとウォームホイール等の歯車機構により行なうことができる。
【実施例３】
【００１９】
図７は、上記同様、側型枠２１を移動させるための他の実施例を示したものである。該側型枠２１及びそれに固定した可動部２２にラック２３を固定し、該ラック２３にピニオン２４を歯合させ、該ピニオン２４の回転により該側型枠２１及び可動部２２を移動させるものである。
【００２０】
上記実施例１〜３の側型枠を移動させるための手段は、必要に応じて適宜カバー材により被覆し、外部からの生コンクリートやゴミの進入を防ぐことができる。
【００２１】
上記実施例１〜３では、生コンクリート打設装置２及び生コンクリート仕上げ装置３を別体の装置として示したが、本実施例の生コンクリート成型装置に両者或いはいずれか一方が組み込まれた装置とすることも可能である。
【００２２】
上記の通り、自走手段により移動しながら連続的に生コンクリートが打設され、敷き均され、締め固められ、且つ左右の巾員方向の間隔が必要に応じて適宜に調整された状態で生コンクリートによる舗装面が形成されることになる。
【図面の簡単な説明】
【００２３】
【図１】生コンクリートを舗装面に敷設するスリップ工法の一実施例の装置全体を示す斜視図。
【図２】本発明の生コンクリート成型装置の正面図。
【図３】生コンクリート成型部の概略側面図。
【図４】可動部を示す側断面図。
【図５】側型枠の側面図。
【図６】可動部の他の実施例の側断面図。
【図７】可動部の他の実施例の側断面図。
【図８】生コンクリート成型装置における型枠部の従来例の正面図。
【符号の説明】
【００２４】
１          生コンクリート成型装置
２          生コンクリート打設装置
３          生コンクリート仕上げ装置
４          自走手段
５          敷き均し手段
６          締め固め手段
７          上下動手段
８          コンフォーミングプレート
９、１０    側型枠
１１、１２    可動部
１３、１４    支持部材
１５、１６    シリンダー
１７          側型枠
１８          可動部
１９          ナット状筒
２０          ボルト
２１          側型枠
２２          可動部
２３          ラック
２４          ピニオン
【図１】
2006225978.tif 000003
【図２】
2006225978.tif 000004
【図３】
2006225978.tif 000005
【図４】
2006225978.tif 000006
【図５】
2006225978.tif 000007
【図６】
2006225978.tif 000008
【図７】
2006225978.tif 000009
【図８】
2006225978.tif 000010